(57)【要約】      （修正有）【課題】ハウジングの低背化を図り、フロントリテーナに対する保持信頼性を向上させる。【解決手段】フロントリテーナ４０の前壁部４１の前面におけるタブ挿入孔４５の開口縁部には、ランスの前方を覆う一辺部に、相手端子金具のタブを誘い込むリテーナ側誘い込み面４７が拡開して形成されている。ハウジング１０の前面におけるキャビティの開口縁部には、一辺部と対向する位置を除いたタブ挿入孔４５の内側を臨む位置に、タブを誘い込むハウジング側誘い込み面３３が拡開して形成されている。ハウジング１０における隣接するキャビティ間の隔壁には、リテーナを抜け止めする係止受け部が形成されている。係止受け部は、ハウジング側誘い込み面３３の後方に位置し、リテーナ側誘い込み面４７と隔壁の高さ方向で重なる部分を有している。【選択図】図５
2014093222.tif 000002
【特許請求の範囲】
【請求項１】
端子金具が挿入される複数のキャビティを有するとともに、前記各キャビティの内面から突出して前記端子金具を一次的に抜け止めするランスを有し、且つ、隣接するキャビティ間を仕切る隔壁に係止受け部を有するハウジングと、
前記ハウジングに組み付けられ、前記ハウジングの前面を覆って前記各キャビティと対向する位置にタブ挿入孔が貫通する前壁部を有するとともに、前記前壁部より後方に位置して前記端子金具を二次的に抜け止めする抜け止め部を有し、且つ、前記係止受け部を係止して前方への抜けを規制する係止部を有するフロントリテーナとを備え、
前記前壁部の前面における前記タブ挿入孔の開口縁部には、組み付け時に前記ランスの前方を覆う一辺部に、相手端子金具のタブを誘い込むリテーナ側誘い込み面が拡開して形成され、
前記ハウジングの前面における前記キャビティの開口縁部には、前記フロントリテーナの組み付け時に前記一辺部と対向する位置を除いた前記タブ挿入孔の内側を臨む位置に、前記タブを誘い込むハウジング側誘い込み面が拡開して形成され、
前記係止受け部は、前記ハウジング側誘い込み面の後方に位置し、前記フロントリテーナの組み付け時に前記リテーナ側誘い込み面と前記隔壁の高さ方向で重なる部分を有していることを特徴とするコネクタ。
【請求項２】
前記フロントリテーナの組み付け時には、前記リテーナ側誘い込み面と前記ハウジング側誘い込み面の夫々の端縁同士が互いに当接可能に対向するようになっており、前記リテーナ側誘い込み面と前記ハウジング側誘い込み面の夫々の端縁が内側から外側へ向けて幅方向と交差する方向に傾斜していることを特徴とする請求項１記載のコネクタ。
【請求項３】
前記隔壁には、前後方向に貫通する貫通孔が形成され、前記係止受け部が前記隔壁の前記貫通孔の後端開口部に形成され、
前記フロントリテーナには、前記貫通孔の内部に位置決め状態で進入する突部が後方に突出して形成され、前記係止部が前記突部の後端部に形成されていることを特徴とする請求項１又は２記載のコネクタ。
【発明の詳細な説明】
【技術分野】
【０００１】
本発明は、コネクタに関する。
【背景技術】
【０００２】
特許文献１に開示のコネクタは、複数のキャビティを有するハウジングと、ハウジングに組み付けられ、ハウジングの前面を覆って各キャビティと対向する位置にタブ挿入孔が貫通した前壁部を有するフロントリテーナとを備えている。各キャビティの内面には撓み可能なランスが前方に突出して形成されている。フロントリテーナには、各キャビティと対応する位置に、抜け止め部が後方に突出して形成されている。各キャビティ内に正規挿入された端子金具は、ランスによってキャビティ内に一次的に抜け止めされ、さらにフロントリテーナの正規組み付けに伴い抜け止め部がランスの撓み空間に進入することで二次的に抜け止めされる。
【０００３】
また、前壁部の前面におけるタブ挿入孔の開口縁部には、組み付け時にランスの前方を覆う上辺部に、リテーナ側誘い込み面が拡開して形成されている。また、ハウジングの前面における各キャビティの開口縁部には、前記上辺部と対向する位置を除いたタブ挿入孔の内側を臨む位置に、ハウジング側誘い込み面が拡開して形成されている。フロントリテーナがハウジングに組み付けられると、リテーナ側誘い込み面とハウジング側誘い込み面とが周方向に連続し、これによって前方から相手端子金具のタブを誘い込むことが可能とされている。また、ハウジングにおける各キャビティの前端上部からハウジング側誘い込み面が省略されることにより、コネクタの低背化を図ることができ、且つ、キャビティの前端上部に薄肉の壁を成形しなくて済む分、成形性も良好となる。
【先行技術文献】
【特許文献】
【０００４】
【特許文献１】特開２０１１−３４８８２号公報
【発明の概要】
【発明が解決しようとする課題】
【０００５】
ところで、例えば、隣接するキャビティ間を仕切る隔壁に係止受け部が形成され、係止受け部がフロントリテーナの係止部に係止されることにより、フロントリテーナの前方への抜けを防止した構造にすることが可能となる。
【０００６】
しかし、上記構成とした場合に、キャビティの前端上部から壁が省略されていると、隔壁の高さ寸法が小さくなるため、その分、係止受け部の形成領域を確保することができず、係止受け部と係止部との係止代が減少してフロントリテーナに対する保持力が低下する懸念がある。
【０００７】
本発明は上記のような事情に基づいて完成されたものであって、ハウジングの低背化を図り、フロントリテーナに対する保持信頼性を維持することを目的とする。
【課題を解決するための手段】
【０００８】
本発明のコネクタは、端子金具が挿入される複数のキャビティを有するとともに、前記各キャビティの内面から突出して前記端子金具を一次的に抜け止めするランスを有し、且つ、隣接するキャビティ間を仕切る隔壁に係止受け部を有するハウジングと、前記ハウジングに組み付けられ、前記ハウジングの前面を覆って前記各キャビティと対向する位置にタブ挿入孔が貫通する前壁部を有するとともに、前記前壁部より後方に位置して前記端子金具を二次的に抜け止めする抜け止め部を有し、且つ、前記係止受け部を係止して前方への抜けを規制する係止部を有するフロントリテーナとを備え、前記前壁部の前面における前記タブ挿入孔の開口縁部には、組み付け時に前記ランスの前方を覆う一辺部に、相手端子金具のタブを誘い込むリテーナ側誘い込み面が拡開して形成され、前記ハウジングの前面における前記キャビティの開口縁部には、前記フロントリテーナの組み付け時に前記一辺部と対向する位置を除いた前記タブ挿入孔の内側を臨む位置に、前記タブを誘い込むハウジング側誘い込み面が拡開して形成され、前記係止受け部は、前記ハウジング側誘い込み面の後方に位置し、且つ前記フロントリテーナの組み付け時に前記リテーナ側誘い込み面と前記隔壁の高さ方向で重なる部分を有しているところに特徴を有する。
【発明の効果】
【０００９】
係止受け部が、ハウジング側誘い込み面の後方に位置する上、且つリテーナ側誘い込み面と隔壁の高さ方向で重なる部分を有しているため、係止受け部の形成領域が充分に確保されて、係止部と係止受け部との係止代が減少するのが防止される。その結果、フロントリテーナに対する保持信頼性を維持することができる。また、係止受け部がリテーナ側誘い込み面と隔壁の高さ方向で重なる部分を有しているため、コネクタの低背化を図ることができる。
【図面の簡単な説明】
【００１０】
【図１】本発明の実施例１に係るコネクタにおいて、フロントリテーナがハウジングに対して仮係止位置に保持された状態を平面視方向から見た断面図である。
【図２】フロントリテーナがハウジングに対して本係止位置に保持された状態を平面視方向から見た断面図である。
【図３】フロントリテーナがハウジングに対して仮係止位置に保持された状態を側面視方向から見た断面図である。
【図４】フロントリテーナがハウジングに対して本係止位置に保持された状態を側面視方向から見た断面図である。
【図５】コネクタの正面図である。
【図６】ハウジングを側面視方向から見た断面図である。
【図７】ハウジングの正面図である。
【図８】ハウジングの背面図である。
【図９】ハウジングの要部を拡大した正面図である。
【図１０】フロントリテーナを側面視方向から見た断面図である。
【図１１】フロントリテーナを平面視方向から見た断面図である。
【図１２】フロントリテーナの正面図である。
【図１３】フロントリテーナの側面図である。
【発明を実施するための形態】
【００１１】
本発明の好ましい形態を以下に示す。
前記フロントリテーナの組み付け時には、前記リテーナ側誘い込み面と前記ハウジング側誘い込み面の夫々の端縁同士が互いに当接可能に対向するようになっており、前記リテーナ側誘い込み面と前記ハウジング側誘い込み面の夫々の端縁が内側から外側にかけて幅方向と交差する方向に傾斜している。このような構成であれば、フロントリテーナの組み付け時に、リテーナ側誘い込み面とハウジング側誘い込み面の夫々の端縁同士が互いに適合することにより、フロントリテーナが幅方向に遊動するのが抑えられる。
【００１２】
前記隔壁の前側には、前後方向に貫通する貫通孔が形成され、前記係止受け部が前記隔壁の前記貫通孔の後端開口部に形成され、前記フロントリテーナには、前記貫通孔の内部に位置決め状態で進入する突部が後方に突出して形成され、前記係止部が前記突部の後端部に幅方向に張り出して形成されている。係止受け部が隔壁の貫通孔の後端開口部に形成されているため、係止受け部を成形するための金型構造が格別複雑になることはなく、成形性が良好となる。また、フロントリテーナの組み付け時に、突部が隔壁の貫通孔の内部に位置決め状態で進入することにより、リテーナ側誘い込み面及びハウジング側誘い込み面の夫々と近接する位置でハウジングに対するフロントホルダの位置決めがなされ、組み付け時にリテーナ側誘い込み面及びハウジング側誘い込み面の相互の相対位置が変動するのが抑えられる。
【００１３】
＜実施例１＞
本発明の実施例１を図１〜図１３によって説明する。本実施例に係るコネクタは、ハウジング１０、フロントリテーナ４０及び端子金具９０を備え、図示しない相手コネクタに嵌合可能とされている。なお、以下の説明において前後方向については、相手コネクタに対する嵌合面側を前方とする。
【００１４】
端子金具９０は導電性の金属板を曲げ加工等して成形され、図４に示すように、筒状の箱部９１と、箱部９１の後方に位置して電線８０の端末部で露出する芯線部分に圧着接続されるとともに電線８０の端末部に嵌着されたゴム栓７０に圧着接続されるオープンバレル状のバレル部９２とを有している。箱部９１には、後述するランス１９が進入する図示しないランス孔が開口して形成されている。また、箱部９１の内部には、弾性接触片９５（図５を参照）が形成されている。コネクタが相手コネクタに嵌合されると、端子金具９０の箱部９１内に前方から相手端子金具１００のタブ１０１が挿入され、タブ１０１が弾性接触片９５と弾性的に接触することにより、両端子金具９０、１００が電気的に接続されるようになっている。
【００１５】
ハウジング１０は合成樹脂製であって、図６及び図７に示すように、ブロック状のハウジング本体１１と、ハウジング本体１１の周りを取り囲む筒状の嵌合筒部１２と、ハウジング本体１１及び嵌合筒部１２の両後端部に連結される径方向に沿った連結部１３とを有している。ハウジング本体１１と嵌合筒部１２との間には、相手コネクタの図示しないフード部に対する嵌合空間１４が前方に開放されている。
【００１６】
嵌合筒部１２の上壁部分には、図６に示すように、窓部１５が切り欠き形成されている。ハウジング本体１１の上面にはロックアーム１６が連結され、ロックアーム１６は窓部１５を通して視認可能とされている。そして、ロックアーム１６は、前後方向に延出する形態とされ、ハウジング本体１１との連結部位を支点として上下方向に撓み変形可能とされている。ロックアーム１６の前端部には、前後方向に延出して後端に開口するロック孔１７が形成されている。相手コネクタとの嵌合時には、ロックアーム１６の撓み動作を伴った後、ロック孔１７に相手コネクタの図示しないロック突起が嵌まり込み、これによって両コネクタが嵌合状態に保持されるようになっている。
【００１７】
図３に示すように、ハウジング本体１１の外周面における連結部１３の前方には、シールリング６０が嵌着されている。シールリング６０は嵌合時に相手コネクタのフード部とハウジング本体１１との間に弾性的に圧縮され、これによって両コネクタ間を液密にシールする役割をはたす。
【００１８】
ハウジング本体１１には複数のキャビティ１８が前後方向に延出して形成されている。図９に示すように、各キャビティ１８は、幅方向に対をなして配置されている。両キャビティ１８の内面上壁には、ランス１９が前方に片持ち状に突出して形成されている。ランス１９は、図３に示すように、次第に前下がりに傾斜する形態とされている。
【００１９】
両キャビティ１８内には後方から端子金具９０が挿入される。端子金具９０がキャビティ１８内に正規挿入されると、ランス１９の前端が端子金具９０のランス孔に弾性的に嵌まり込み、これによって端子金具９０がキャビティ１８内に一次的に抜け止めされるようになっている。図９に示すように、ランス１９の前端における右側の端部には、正面視略矩形の治具当て面２１が切り欠いて形成されている。治具当て面２１は後方へ行くにしたがい下向きに傾斜する形態とされ、ここに図示しない治具が押し当てられることでランス１９の係止状態を解除することが可能となっている。
【００２０】
ハウジング本体１１の両キャビティ１８の後端部には、図８に示すように、断面円形のゴム栓挿入部２２が形成されている。ゴム栓挿入部２２は、両キャビティ１８の前側よりも大きい開口径を有している。キャビティ１８内に端子金具９０が正規挿入されると、ゴム栓７０がゴム栓挿入部２２に液密に挿入され、これによってハウジング本体１１内が液密に保持されるようになっている。
【００２１】
また、図１に示すように、ハウジング本体１１には、隣接するキャビティ１８間を仕切る隔壁２３が形成されている。隔壁２３は、前側に位置する前側隔壁２４と、後側に位置する後側隔壁２５とからなる。前側隔壁２４は、ハウジング本体１１の前端に臨んで前後方向に短く延びる形態とされ、後側隔壁２５は、ハウジング本体１１の後端に臨んで前後方向に長く延びる形態とされている。そして、前側隔壁２４と後側隔壁２５との間には前後方向のクリアランスが開放され、クリアランスに上方からランス１９の前端が臨むように位置している。
【００２２】
図９に示すように、前側隔壁２４の上端は、ランス１９の下端より若干低い位置に露出して配置されている。そして、前側隔壁２４の幅方向中央部には、貫通孔２６が形成されている。貫通孔２６は、前後方向に延出して前側隔壁２４の前後両端に開口するとともに（図１を参照）、前側隔壁２４の上端に開口する断面角Ｕ字形の形態とされている（図９を参照）。そして、前側隔壁２４における貫通孔２６を挟んだ左右両側には、一対の内壁２７が起立して形成されている。図１に示すように、貫通孔２６の後端開口部を構成する両内壁２７の後端には、フロントリテーナ４０の後述する仮係止部５１（本発明の係止部に相当）によって係止される一対の仮係止受け部２８（本発明の係止受け部に相当）が幅方向に沿って形成されている。
【００２３】
図１に示すように、貫通孔２６は、後側隔壁２５と前後方向の同軸上の位置に配置され、後側隔壁２５の厚み（幅寸法）とほぼ同じ開口幅を有している。そして、両内壁２７は、幅方向に関して後側隔壁２５と重ならない位置に配置されている。このため、両内壁２７の仮係止受け部２８は、ハウジング本体１１の後端に開放され、両キャビティ１８のゴム栓挿入部２２を通して後方から視認可能とされている。
【００２４】
ハウジング本体１１における両キャビティ１８の前端は、図９に示すように、上記内壁２７と、内壁２７の外側に対向位置する外壁２９と、内壁２７及び外壁２９の両下端に連結される下壁３１とにより区画され、その内側に前後方向に貫通して上端に開口するタブ通し孔３２を有している。内壁２７、外壁２９及び下壁３１により区画される領域の後部は、端子金具９０の箱部９１の前端側が位置決め状態で嵌合可能とされている。
【００２５】
図２に示すように、ハウジング本体１１の前面におけるタブ通し孔３２の開口部には、ハウジング側誘い込み面３３が前方に拡開して形成されている。図９に示すように、ハウジング側誘い込み面３３は、下壁３１の前面に幅方向に沿って配置されるとともに、内壁２７及び外壁２９の各前面に高さ方向に沿って配置されている。また、ハウジング側誘い込み面３３のうち、下壁３１の前面の左右両端において内壁２７及外壁２９に連結される部位には、内側（タブ通し孔３２側）から外側（下側）に向けて幅方向と交差するようテーパ状に拡開する一対の境界線部３４が形成されている。また、ハウジング側誘い込み面３３のうち、内壁２７及び外壁２９の両上端には、内側（タブ通し孔３２側）から外側（上側）に向けて幅方向と交差するようテーパ状に拡開する一対のハウジング側対向線部３５が形成されている。
【００２６】
図９に示すように、両ハウジング側対向線部３５と貫通孔２６との間は、幅方向に沿った直線状のストレート部３６によって連結されている。また、既述した仮係止受け部２８は、幅方向に関してストレート部３６と重なり、且つ高さ方向に関してハウジング側対向線部３５と重なる位置に配置されている。
【００２７】
図１に示すように、両外壁２９は、その後方に位置する後方側壁３７とともにハウジング本体１１の両側壁３８を構成するものであって、前後方向に短く延出する形態とされている。そして、外壁２９は、キャビティ１８の幅方向中心を境として内壁２７と略対称な形状をなしている。両外壁２９の後端には、図２に示すように、フロントリテーナ４０の後述する本係止部５５によって係止される一対の本係止受け部３９が幅方向に沿って形成されている。両本係止受け部３９は、前後方向及び高さ方向に関して両仮係止受け部２８とほぼ同じ位置に配置されている。そして、両本係止受け部３９は、両仮係止受け部２８と同様、ハウジング本体１１の後端に開放され、両キャビティ１８のゴム栓挿入部２２を通して後方から視認可能とされている。このため、図８に示すように、本係止受け部３９及び仮係止受け部２８を後方に投影した投影領域の全体がゴム栓挿入部２２の内側に位置するようになっている。よって、ゴム栓挿入部２２は、前方に位置する本係止受け部３９及び仮係止受け部２８の存在に影響されることなく、その内面が断面円形に形成されて、ゴム栓７０に対する所定のシール性を確保することが可能となっている。
【００２８】
図１に示すように、両後方側壁３７は、幅方向に関して両外壁２９よりも外側に位置している。そして、両後方側壁３７は、その後端部で連結部１３に連なり、且つその後端側の外周面にシールリング６０が嵌着されるようになっている。両後方側壁３７と両外壁２９との間には、前後方向のクリアランスが開放されていて、ここにフロントリテーナ４０の後述する係止アーム５４が進入可能とされている（図２を参照）。なお、両後方側壁３７は、両外壁２９よりも厚肉とされ、両後方側壁３７の前端は、外側に向けてテーパ状に拡開するように切り欠かれている。
【００２９】
続いてフロントリテーナ４０について説明する。フロントリテーナ４０は合成樹脂製であって、図１０〜図１３に示すように、高さ方向にほぼ沿った前壁部４１と、前壁部４１の外周縁から後方に突出する筒状の周壁部４２とを有している。周壁部４２の上壁部分には、幅方向に一対の抜け止め部４３が内側に突出して形成されている。
【００３０】
ここで、フロントリテーナ４０はハウジング本体１１に対して前方から被せ付けられる。そして、フロントリテーナ４０は、前壁部４１がハウジング本体１１の前面から離間し且つ抜け止め部４３がランス１９の撓み空間から前方に退避する仮係止位置（図１及び図３を参照）と、前壁部４１がハウジング本体１１の前面に当接可能に位置し且つ抜け止め部４３がランス１９の撓み空間内に進入する本係止位置（図２及び図４を参照）とに、前後方向に移動可能とされている。
【００３１】
図１２に示すように、周壁部４２には、周方向に間隔をあけて複数のガタ詰め突起４４が形成されている。各ガタ詰め突起４４は、前後方向に延びるリブ状をなし、周壁部４２の上壁部分、下壁部分及び両側壁部分の夫々に対をなして配置されている。ハウジング１０の嵌合空間１４内に相手コネクタのフード部が嵌合されると、各ガタ詰め突起４４がフード部によって圧潰され、これによってハウジング１０に対する相手コネクタのガタ付きが防止されるようになっている。
【００３２】
図１２に示すように、前壁部４１には、一対のタブ挿入孔４５が貫通して形成されている。フロントリテーナ４０が本係止位置に至ると、図４及び図５に示すように、両タブ挿入孔４５の内部に、ハウジング側誘い込み面３３が臨むように配置されるようになっている。
【００３３】
そして、図１２に示すように、前壁部４１の両タブ挿入孔４５の上辺部（一辺部）には、断面台形状、詳細には断面等脚台形状の上壁４６が下向きに突出して形成されている。図４に示すように、上壁４６は、組み付け時にランス１９の前方を覆うように配置され、その前面に、リテーナ側誘い込み面４７が形成されている。リテーナ側誘い込み面４７は、前壁部４１の前面へ向けてテーパ状に拡開する形態とされている。また、図１２に示すように、リテーナ側誘い込み面４７の左右両端には、内側（タブ挿入孔４５側）から外側（上側）に向けて幅方向と交差するようテーパ状に拡開する一対のリテーナ側対向線部４８が形成されている。
【００３４】
フロントリテーナ４０が本係止位置に至ると、図５に示すように、上壁４６が下壁３１との間に高さ方向の間隔をあけて対向して配置され、且つ両リテーナ側対向線部４８が両ハウジング側対向線部３５と当接可能に対向して配置される。これにより、リテーナ側誘い込み面４７とハウジング側誘い込み面３３とが周方向に連続し、タブ通し孔３２の上方が上壁４６によって閉止されるようになっている。そして、フロントリテーナ４０の組み付け時には、リテーナ側誘い込み面４７と仮係止受け部２８とが高さ方向に関して互いに重なる部分を有するように位置する。
【００３５】
また、図１１に示すように、フロントリテーナ４０には、突部４９が形成されている。突部４９は、両タブ挿入孔４５間を仕切る部分に沿って前壁部４１から後方に突出し、且つ周壁部４２の上壁部分における両抜け止め部４３間に前後方向に沿って一体に連結された形態とされている。突部４９の後端部には、一対の仮係止部５１が左右両側に張り出して形成されている。両仮係止部５１のうちの一方は他方よりも大きく張り出す形態とされている。
【００３６】
図１に示すように、フロントリテーナ４０が仮係止位置に至ると、突部４９が貫通孔２６の内部に位置決め状態で挿入され、両仮係止部５１が両内壁２７の後端に臨んで両仮係止受け部２８に係止可能に配置される。これにより、仮係止位置におけるフロントリテーナ４０がハウジング１０から前方に抜け出るのが防止されるようになっている。
【００３７】
また、図１２に示すように、周壁部４２の両側壁部分の高さ方向中央部には、高さ方向両端部（上下両端部）よりも内側に引っ込む形態をなす一対の窪み部５２が形成されている。両窪み部５２は、上下夫々のガタ詰め部間において周壁部４２の前端から後方に延びる所定範囲に配置されている。
【００３８】
また、周壁部４２の両窪み部５２には、上下一対ずつのスリット孔５３が入れられている。各スリット孔５３は、図１３に示すように、前後方向に延出する形態とされ、互いに平行に配置されている。そして、周壁部４２の両窪み部５２における上下のスリット孔５３間には、一対の係止アーム５４が形成されている。図１１に示すように、両係止アーム５４は、前後両端を固定端とする両持ち状をなし、その前端から後方へ向けて真直ぐ延びたあとその後端部で外側にテーパ状に拡開する形態とされている。また、両係止アーム５４の内面には、一対の本係止部５５が内側に突出して形成されている。両本係止部５５は、両係止アーム５４の前後方向途中で且つ両仮係止部５１よりも前方に位置している。
【００３９】
図２に示すように、フロントリテーナ４０が本係止位置に至ると、両係止アーム５４の撓み動作を伴った後、両本係止部５５が両外壁２９の後端に臨んで両本係止受け部３９に係止可能に配置される。これにより、本係止位置におけるフロントリテーナ４０がハウジング１０から抜け出るのが防止されるようになっている。
【００４０】
次に、本実施例のコネクタの組み付け方法及び嵌合方向を説明する。
まず、ハウジング本体１１にはフロントリテーナ４０が仮係止位置に組み付けられる。仮係止位置では、図１に示すように、突部４９が前側隔壁２４の貫通孔２６を貫通して、両仮係止部５１が両仮係止受け部２８にそれぞれ係止可能に配置されることでフロントリテーナ４０の前方への抜けが規制され、さらに、両本係止部５５がハウジング本体１１の両外壁２９の前端に当接可能に配置されてフロントリテーナ４０の後方（本係止位置側）への移動が規制される。なお、フロントリテーナ４０の突部４９が貫通孔２６の内部に位置決め状態で嵌合され、その嵌合位置と近接して仮係止部５１と仮係止受け部２８との係止位置が存在することにより、仮係止部５１と仮係止受け部２８とが所定の係止代で確実に係止されるようになっている。
【００４１】
上記のようにフロントリテーナ４０が仮係止位置に保持された状態で、コネクタはハーネスの製造現場に搬送される。製造現場では、ハウジング本体１１の両キャビティ１８内に後方から端子金具９０が挿入される。正規挿入された端子金具９０はランス１９によって弾性的に一次係止される。続いて、フロントリテーナ４０が本係止位置に向けて押圧される。すると、両外壁２９の前端と両本係止部５５との係止状態が解除されてフロントリテーナ４０が本係止位置への移動が許容される。フロントリテーナ４０が本係止位置に向かう過程では、両本係止部５５が両外壁２９の外面を摺動して両係止アーム５４が外側に弾性的に拡開させられる。そして、本係止位置に至ると、図２に示すように、両係止アーム５４が弾性的に復帰して、両本係止部５５が両本係止受け部３９にそれぞれ係止可能に配置されることでフロントリテーナ４０の前方への抜けが規制され、さらに、前壁部４１がハウジング本体１１の前面に当接可能に配置されてフロントリテーナ４０のそれ以上後方への移動が規制される。また、本係止位置では、図４に示すように、抜け止め部４３がランス１９の撓み空間に進入してランス１９の撓み動作が規制され、もって端子金具９０が二次係止される。
【００４２】
さらに、図５に示すように、フロントリテーナ４０が本係止位置に至ると、タブ挿入孔４５の内側にハウジング側誘い込み面３３が臨み、ハウジング側誘い込み面３３とリテーナ側誘い込み面４７とが互いに適合してタブ通し孔３２を全周に亘って取り囲む。よって、その後、コネクタが相手コネクタに嵌合されると、相手端子金具１００のタブ１０１がハウジング側誘い込み面３３及びリテーナ側誘い込み面４７に沿ってキャビティ１８内に円滑に誘い込まれ、端子金具９０に対するタブ１０１の接続姿勢が矯正されることとなる。
【００４３】
以上説明したように本実施例によれば、仮係止受け部２８が前側隔壁２４の貫通孔２６の後端開口部に形成されているため、仮係止受け部２８を成形するための金型構造が格別複雑になることはなく、成形性が良好となる。また、本係止受け部３９が前側隔壁２４とは別の両側壁３８に対をなして形成されているため、本係止部５５に対する係止代を充分に確保することができ、フロントリテーナ４０の保持信頼性を向上させることができる。
【００４４】
また、両仮係止受け部２８がハウジング１０の後面に開放されているため、金型を後方へ引く抜くことにより、両仮係止受け部２８を各キャビティ１８とともに容易に成形することができる。しかも、本係止受け部３９もハウジング１０の後面に開放されているため、本係止受け部３９、仮係止受け部２８及び各キャビティ１８を１つの金型で一度に成形することができる。さらに、両本係止受け部３９が後方に投影された投影領域の全体がゴム栓挿入部２２の内側に位置しているため、ゴム栓挿入部２２も両本係止受け部３９を成形する金型によって成形することができる。さらにまた、ゴム栓挿入部２２の内面に両本係止受け部３９の成形跡が残らないため、ゴム栓挿入部２２の内面がシール面として適正なシール性能を発揮することができる。
【００４５】
また、仮係止受け部２８が、ハウジング側誘い込み面３３の後方に位置し、且つリテーナ側誘い込み面４７と高さ方向で重なる部分を有しているため、仮係止受け部２８の形成領域が確保されて、仮係止部５１と仮係止受け部２８との係止代が減少するのが防止される。その結果、フロントリテーナ４０に対する保持信頼性を維持することができる。また、仮係止受け部２８がリテーナ側誘い込み面４７と高さ方向で重なる部分を有しているため、コネクタの低背化を図ることができる。
【００４６】
また、ハウジング側対向線部３５とリテーナ側対向線部４８とが内側から外側にかけて幅方向と交差する方向に傾斜する形態とされているため、フロントリテーナ４０の組み付け時に、ハウジング側対向線部３５とリテーナ側対向線部４８とが互いに適合することにより、フロントリテーナ４０が幅方向に遊動するのが抑えられる。
【００４７】
さらに、フロントリテーナ４０の組み付け時に、突部４９が前側隔壁２４の貫通孔２６の内部に位置決め状態で進入することにより、リテーナ側誘い込み面４７及びハウジング側誘い込み面３３の夫々と近接する位置においてハウジング１０に対するフロントホルダの位置決めがなされるため、フロントリテーナ４０の組み付け時にリテーナ側誘い込み面４７及びハウジング側誘い込み面３３の相互の相対位置が変動するのが確実に防止される。
【００４８】
＜他の実施例＞
本発明は上記記述及び図面によって説明した実施例に限定されるものではなく、例えば次のような態様も本発明の技術的範囲に含まれる。
（１）仮係止部が突部の後端部から幅方向片側のみに張り出して形成され、仮係止受け部が隔壁における両貫通孔の後端開口部のうち仮係止部と対応する幅方向片側のみに形成されるものであってもよい。
（２）ハウジング本体には３つ以上のキャビティが並列に形成され、各キャビティ間に複数の隔壁が形成されるとともに、各隔壁に複数の貫通孔が形成され、且つリテーナに複数の突部が形成される構成であってもよい。
（３）突部の後端に前後方向に沿った切り溝が入れられ、仮係止部が貫通孔を通過する際に、突部の後端部が切り溝を介して弾性的に縮幅される形態であってもよい。こうすると、突部が貫通孔に挿入される際の挿入抵抗が低減される。
（４）突部が、前壁部に連結されず、周壁部に連結される形態であってもよい。
【符号の説明】
【００４９】
１０…ハウジング
１８…キャビティ
１９…ランス
２３…隔壁
２４…前側隔壁
２５…後側隔壁
２６…貫通孔
２８…仮係止受け部（係止受け部）
３３…ハウジング側誘い込み面
３４…境界線部
３５…ハウジング側対向線部
３８…側壁
３９…本係止受け部
４０…フロントリテーナ
４１…前壁部
４３…抜け止め部
４５…タブ挿入孔
４７…リテーナ側誘い込み面
４８…リテーナ側対向線部
４９…突部
５１…仮係止部（係止部）
５５…本係止部
９０…端子金具
１００…相手端子金具
１０１…タブ
【図１】
2014093222.tif 000003
【図２】
2014093222.tif 000004
【図３】
2014093222.tif 000005
【図４】
2014093222.tif 000006
【図５】
2014093222.tif 000007
【図６】
2014093222.tif 000008
【図７】
2014093222.tif 000009
【図８】
2014093222.tif 000010
【図９】
2014093222.tif 000011
【図１０】
2014093222.tif 000012
【図１１】
2014093222.tif 000013
【図１２】
2014093222.tif 000014
【図１３】
2014093222.tif 000015